(57)【特許請求の範囲】
【請求項１】
芯棒に紐状素材を巻着させて握り部を形成すると共に先端にループを形成し、該ループに絡ませて一本の紐状素材を結びつけて振り出し可能な振り子を複数本交絡させ、且つ、その各振り子のループに絡ませて各振り子の振りだし範囲を調整する紐状素材のまとめ振り子を形成し、前記芯棒に巻着させた素材、前記握り部のループの素材、前記振り子の素材及び前記まとめ振り子の素材をいずれも紐状素材としたことを特徴とする護身用防護具。
【請求項２】
紐状素材を、登山用ザイル巻紐とした請求項１記載の護身用防護具。
【発明の詳細な説明】
【０００１】
【発明の属する技術分野】
本発明は、女子、老人等が自らの身を守る為の護身用防護具に関し、更に詳細には、携帯性に優れると共に、相手に致命傷を与えない範囲で、確実に強漢等を撃退するのに適した器具に関する。
【０００２】
【従来の技術】
昨今、街を歩く場合、不審者や精神異常者等が多く、婦女子、老人、子供等の立場の弱い者を狙って、窃盗や暴行、痴漢等の危険が頻発している。
【０００３】
そこで、従来、これら強漢等を撃退しようとして、（ａ）プラズマ等の電気的強い刺激を与えるもの、（ｂ）強い音を発して警告音として異常を知られるもの、
等が知られている。
【０００４】
しかしこれらは、（ａ）プラズマのような強い刺激の使用は、婦女子等には抵抗感が残り、又、重いので携帯に不便であり、（ｂ）警告の強い音も、周囲の人の注目を惹くことで、却って恥ずかしい感情が生じ、いずれも普及していないのが現状である。
【０００５】
【発明が解決しようとする課題】
そこで本発明者が探究したところ、護身には襲ってくる敵を撃退すれば良く、逆に、相手に傷や打撲痕を与えるような攻撃性の強いものは、婦女子には使用に心理的抵抗感が強いことが判った。
そこで、本発明は、相手の襲ってくる意欲を削いでしまうことを狙いとし、致命傷を与えるような強い攻撃性は避け、適切で確実な防護が可能な器具を開発しようとしたものである。
【０００６】
【課題を解決するための手段】
以上の課題を解決するため、本発明は、芯棒に紐状素材を巻着させて握り部を形成すると共に先端にループを形成し、該ループに絡ませて一本の紐状素材を結びつけて振り出し可能な振り子を複数本交絡させ、且つ、その各振り子のループに絡ませて各振り子の振りだし範囲を調整する紐状素材のまとめ振り子を形成して構成される。
【０００７】
【発明の実施の形態】
本発明防護具は、手に持って把持するための握り部１０と、その先の振り子２０と、各振り子の回転を制御するまとめ振り子３０とから成る。
そして、これら各部に共通するのは、例えばザイル巻と呼ばれる編み方で単糸を編んで直径２〜８ｍｍφ程度、より望ましくは直径４ｍｍ程度の紐体に形成した、荷造りやテント張り等の登山用具として多用される紐状素材を用いることである。
これは、後述の振り子とした場合に、相手にある程度の打撃による強い刺激を与えることのできる硬さと、スナップを効かせて振ることのできるしなやかさとを備えた撓み性を兼備しているが故に、適したものである。
但し、該紐状素材は、これに限定されるものでなく、同等の機能を備えた紐体であるば使用が可能である。
【０００８】
そして、該紐状素材を利用して、先ず、握り部１０を形成する。
芯棒１１として２〜３本のワイヤーを用い、そこに紐状素材を巻き付けていき、太さ約１５ｍｍで長さ５０〜３００ｍｍ程度の握り棒１２を形成する。
その基端部には、コブ状の盛り上がり部を形成すると共に指掛け用のループ１３を形成し、一方、先端部には直径２５０ｍｍφ程度の振り子用のループ１４を形成する。
ワイヤーの芯で紐に強度が生まれ、握り易い硬さを保つと共に、巻き付けた紐の凹凸も握り易さを増す。
【０００９】
次いで、該ループ１４に、長さ約４５０ｍｍ程度の一本の紐状素材を潜らせ、それをループ・ノット等で結び目２１を結んで、振り子２０を形成する。即ち、その結び目２１から手元で、前記ループ１４と絡むループ２２を形成し、結び目２１から先端側で紐状素材を開放させて一種の鞭として機能する振り紐２３を形成する。
そして、これを複数本の振り子２０ａ，２０ｂ，２０ｃ・・とし、具体的には２〜８本程度とし、図面上は３本に設定した。
該握り部１０のループ１４と振り子２０ａ，２０ｂ，２０ｃ・・のループ２２ａ，２２ｂ，２２ｃ・・とが絡んで、該ループ１４を介して振り子２０ａ，２０ｂ，２０ｃ・・２０が回転し、先端の振り紐２３ａ，２３ｂ，２３ｃ・・が四方、八方に舞う。
該振り紐２３の長さは、長短にずらした長さとするのが望ましい。それは、長短の長さで相手への刺激を複雑化すると共に、振り出した紐の空気振動で音を発生した場合、その音を重奏させて相手を威嚇する音とするためである。
【００１０】
更に、該振り子２０ａ，２０ｂ，２０ｃ・・の複数の各ループ２２ａ，２２ｂ，２２ｃ・・に潜らせて、上記と同様長さ約５５０ｍｍ程度の一本の紐体を潜らせ、それをループ・ノット等で結び目３１を結んでループ３２を形成し、まとめ振り子３０を形成する。
即ち、握り部１０のループ１４に各振り子２０のループ２２ａ，２２ｂ，２２ｃ・・をそのまま掛けた場合、振り出した際に、各振り子２２ａ，２２ｂ，２２ｃ・・は互いにばらけてしまい、まとまって相手を撃つことが困難となる。そこで、該まとめ振り子３０を各ループ間に渡して、各振り子がある一定の範囲内でまとまりのあるものとし、相手に対して狙いを定めた攻撃を可能とするためである。
【００１１】
次に、本発明護身用防護具の作用を説明する。
先ず、通常の携帯にあっては、婦女子、子供、老人等のバックやカバン等に本発明防護具を携帯させておく。このとき、本発明防護具は、小型なので通常のバックやカバンに用意に収納可能で、且つ、軽量なので、携帯に煩わしさがない。且つ、本発明防護具は、その形態上からは一瞥しては、防護具と判らないので趣味的感覚での小物として扱え、心理的にも携帯するに抵抗感がない。
【００１２】
さて、万が一、自己の身に危険が襲った場合、本発明防護具を取り出し、時間があれば握り部１０の指掛け用のループ１３に小指等を掛ける。これは、後の争いで、該防護具を相手に奪われるのを防止する為である。
そして、最初は、握り棒１２を握って、手首のスナップを効かせて、それを鋭く回転させて、「ヒュー、ヒュー」という風を切る振動音を生じさせる。
これは、「音で制する」の考え方で、いたずらに相手に攻撃を仕掛けるのでなく、音によって相手に恐怖心を与え、自らを襲おうとする意欲を削いで仕舞おうとするとするものである。
気の弱い相手であるなら、これで十分に撃退が可能である。
【００１３】
次に、なお相手が襲ってくる場合には、上記と同様握り部１０を握って、手首のスナップを効かせて、それを鋭く回転させて振り紐２４を振り出し、それを相手の手、顔、胸、足等に、軽く接触させるような感じで振り当てる。
すると、鋭いスピードで振り回された振り子２０ａ，２０ｂ，２０ｃ・・先端の振り紐２３ａ，２３ｂ，２３ｃ・・が相手の皮膚に接触し、それが一種の「痺れる」感覚を起こさせ、皮膚下１ｍｍ程度に集中する痛みの神経を刺激し、相当の痛さを惹起させる。
本発明者の行った実験では、少し強く振り出すと、殆どの人が悲鳴をあげて、３回以上の攻撃には耐えられないものであった。
従って、これで、殆どの相手は、攻撃意欲を失い、這々の体で逃げ出すことになる。
ここで本発明防護具が優れている点は、徒に相手に強い物理的損傷を与えず、神経への刺激という最小の防御で敵を撃退できることで、このことが女性等には、存分に防護具を機能させることができることの拠り所となる。強すぎる防護具は、過剰防衛となって、婦女子には使用するに心理的負担となって、却って実際の使用を控えさせてしまうからである。
【００１４】
しかしこのとき、上述の如く、振り子２０単独では、互いがバラバラとなってしまい、振り子１本程度を相手に当てるのが精一杯となる。けれど、本発明防護具のまとめ振り子３０は、それ自体が振り子として機能すると共に、各振り子のループ２２ａ，２２ｂ，２２ｃ・・に渡ってまとめるので、各振り子２０ａ，２０ｂ，２０ｃ・・は一群となって方向性を備え、振り出した方向に全体が集中する。従って、相手に何本もの振り紐２３ａ，２３ｂ，２３ｃ・・が命中し、確実な防御性を発揮することができる。
【００１５】
尚、状況に応じて、握り部１０の拳部をもって、相手を打撃することもでき、一定の硬さをもっているので、更なる防御となる。
【００１６】
【発明の効果】
本発明防護具は以上のようで、主に振り子の神経に対する攻撃で、「痛さ」で相手を撃退することができ、過剰防衛に陥らず、且つ、確実に防御ができるという従来にない優れた機能を発揮する。
且つ、小型で軽量であるため携帯性に優れると共に、それが一瞥しては決して防護具と見なされないので趣味性にも合致し、婦女子等に最適の護身用防護具となる。
【図面の簡単な説明】
【図１】本発明防護具の全体斜視図。
【図２】本発明防護具の握り部のループと振り子のループとの交絡を示す一部切欠斜視図。
【図３】本発明防護具の振り子のループと調整振り子のループの交絡を示す一部切欠斜視図。
【符号の説明】
１０  握り部
１１  芯棒
１２  握り棒
１３  ループ
１４  ループ
２０  振り子
２１  結び目
２２  ループ
２３  振り紐
３０  まとめ振り子
３１  結び目
３２  ループ
【図１】
0004293298.tif 000002
【図２】
0004293298.tif 000003
【図３】
0004293298.tif 000004